(57)【要約】【課題】対象区域の観測を行う一方、対象区域に設置した設備に対して観測に基づいた操作を実行し得るモニタリングシステムを提供する。【解決手段】周辺環境に関する測定を行い、環境情報を取得するセンサ部と、ネットワーク５に接続し、センサ部にて取得した環境情報をデータとしてサーバ３に送信する通信部とを備えたデータロガー１と、対象区域Ａに設置され、ネットワーク５を通じて操作可能な動作部を備えた管理設備１５とを備える。【選択図】図１
2018189539.tif 000002
【特許請求の範囲】
【請求項１】
周辺環境に関する測定を行い、環境情報を取得するセンサ部と、ネットワークに接続し、前記センサ部にて取得した環境情報をデータとしてサーバに送信する通信部とを備えたデータロガーと、
対象区域に設置され、前記ネットワークを通じて操作可能な動作部を備えた管理設備と
を備えたことを特徴とするモニタリングシステム。
【請求項２】
前記サーバは、前記データロガーから取得したデータに基づき、前記ネットワークを通じて前記管理設備の動作部に対し操作指令を入力するよう構成されていることを特徴とする請求項１に記載のモニタリングシステム。
【請求項３】
前記サーバは、前記データロガーから取得したデータを通じて対象区域における特定の事態の発生を検出した場合に、前記動作部に前記管理設備をシャットダウンする指令を入力するよう構成されていることを特徴とする請求項２に記載のモニタリングシステム。
【請求項４】
前記管理設備は、対象区域への給水又は対象区域からの排水を行う設備であり、
前記センサ部に、対象区域における水位を検出する水位センサ又は土壌中のｐＦ値を検出するｐＦセンサの少なくとも一方を備え、前記サーバは、前記データロガーから取得したデータを通じて検知した水位又はｐＦ値に応じ、前記動作部に操作指令を入力するよう構成されていることを特徴とする請求項２に記載のモニタリングシステム。
【請求項５】
前記管理設備は、対象区域における特定の事態の発生を報知する警報設備であり、
前記サーバは、前記データロガーから取得したデータに応じ、前記動作部に前記管理設備を作動させる指令を入力するよう構成されていることを特徴とする請求項２に記載のモニタリングシステム。
【請求項６】
前記管理設備は、対象区域への肥料の供給を行う設備であり、
前記センサ部に、対象区域における土壌中の電導度を検出する電導度センサを備え、前記サーバは、前記データロガーから取得したデータを通じて検知した電導度に応じ、前記動作部に操作指令を入力するよう構成されていることを特徴とする請求項２に記載のモニタリングシステム。
【発明の詳細な説明】
【技術分野】
【０００１】
本発明は、農地等の対象区域における気象や周辺環境等の各種情報を収集するモニタリングシステムに関する。
【背景技術】
【０００２】
近年、農地等の管理運用や各種の研究を目的として、対象区域に設置したデータロガー等と呼ばれる装置により、周辺環境の観測や情報の記録・収集を行うモニタリングシステムが実用化されている。この種のモニタリングシステムに関連する先行技術文献としては、例えば、本願と同じ出願人らによる下記の特許文献１がある。
【０００３】
特許文献１に記載のモニタリングシステムは、複数のデータロガーからなるデータロガー群と、該データロガー群と通信を行う一方でネットワークを通じてサーバに接続する通信装置を備えている。該通信装置は、前記データロガーにて収集されたデータをダウンロードし、前記サーバにアップロードする。前記通信装置は、記憶部にデータロガー毎の機能情報を記憶しており、該機能情報と、データロガーのコマンドに対する応答を比較することで該データロガーの通信プロトコルを自動認識し、データロガーを特定して、該データロガー毎に計測データを前記サーバにアップロードするようになっている。
【０００４】
このようなモニタリングシステムによれば、人員がその都度現地に赴くことなく、前記データロガーや前記通信装置を遠隔で操作し、あるいは前記データロガーや前記通信装置が自動で動作することにより、対象区域の観測や、情報の記録・収集を行うことができる。人員に対して面積の大きい大規模農場や、山岳のように頻繁な人の立ち入りが困難な場所等を対象区域とする場合に、特に有効なシステムである。
【先行技術文献】
【特許文献】
【０００５】
【特許文献１】国際公開第２０１３／０２４８７７号公報
【発明の概要】
【発明が解決しようとする課題】
【０００６】
しかしながら、上述の如きモニタリングシステムでは、対象区域について行い得るのは観測や情報の記録・収集といった受動的な事柄に留まり、対象区域に対し何らかの能動的な操作を加える必要が生じた際には、結局、人員が前記操作を実行するために現地に赴かざるを得なかった。
【０００７】
本発明は、斯かる実情に鑑みてなしたもので、対象区域の観測を行う一方、対象区域に設置した設備に対して観測に基づいた操作を実行し得るモニタリングシステムを提供することを目的とする。
【課題を解決するための手段】
【０００８】
本発明は、周辺環境に関する測定を行い、環境情報を取得するセンサ部と、ネットワークに接続し、前記センサ部にて取得した環境情報をデータとしてサーバに送信する通信部とを備えたデータロガーと、対象区域に設置され、前記ネットワークを通じて操作可能な動作部を備えた管理設備とを備えたことを特徴とするモニタリングシステムにかかるものである。
【０００９】
本発明のモニタリングシステムにおいて、前記サーバは、前記データロガーから取得したデータに基づき、前記ネットワークを通じて前記管理設備の動作部に対し操作指令を入力するよう構成することができる。
【００１０】
本発明のモニタリングシステムにおいて、前記サーバは、前記データロガーから取得したデータを通じて対象区域における特定の事態の発生を検出した場合に、前記動作部に前記管理設備をシャットダウンする指令を入力するよう構成することができる。
【００１１】
本発明のモニタリングシステムにおいて、前記管理設備は、対象区域への給水又は対象区域からの排水を行う設備とし、前記センサ部に、対象区域における水位を検出する水位センサ又は土壌中のｐＦ値を検出するｐＦセンサの少なくとも一方を備え、前記サーバは、前記データロガーから取得したデータを通じて検知した水位又はｐＦ値に応じ、前記動作部に操作指令を入力するよう構成することができる。
【００１２】
本発明のモニタリングシステムにおいて、前記管理設備は、対象区域における特定の事態の発生を報知する警報設備とし、前記サーバは、前記データロガーから取得したデータに応じ、前記動作部に前記管理設備を作動させる指令を入力するよう構成することができる。
【００１３】
本発明のモニタリングシステムにおいて、前記管理設備は、対象区域への肥料の供給を行う設備とし、前記センサ部に、対象区域における土壌中の電導度を検出する電導度センサを備え、前記サーバは、前記データロガーから取得したデータを通じて検知した電導度に応じ、前記動作部に操作指令を入力するよう構成することができる。
【発明の効果】
【００１４】
本発明のモニタリングシステムによれば、対象区域の観測を行う一方、対象区域に設置した設備に対して観測に基づいた操作を実行し得るという優れた効果を奏し得る。
【図面の簡単な説明】
【００１５】
【図１】本発明の実施例によるモニタリングシステムの全体構成図である。
【図２】本発明のモニタリングシステムの一部を構成するデータロガーの一例を示す制御ブロック図である。
【図３】本発明のモニタリングシステムの一部を構成する管理設備の一例を示す制御ブロック図である。
【図４】本発明のモニタリングシステムのデータロガーにおけるデータの保存及び送信の手順の一例を説明するフローチャートである。
【図５】本発明のモニタリングシステムのサーバにおける動作の手順の一例を説明するフローチャートである。
【発明を実施するための形態】
【００１６】
以下、本発明の実施の形態を添付図面を参照して説明する。
【００１７】
図１〜図３は本発明の実施によるモニタリングシステムの一例を示している。本実施例のモニタリングシステムは、図１に示す如く、対象区域Ａに設置された複数のデータロガー１により構成されるデータロガー群２と、対象区域Ａから離れて設置されたサーバ３及び端末装置４を備えている。尚、ここでは、データロガー群２を構成するデータロガーとして四台のデータロガー１を図示しているが、データロガー１の数はこれに限定されず、四台より多くても良いし、少なくても良い。
【００１８】
各データロガー１は、対象区域Ａにおいて必要な観測を行い、観測の結果得た情報を記録し、収集するようになっている。各データロガー１が収集し得る環境情報としては、例えば、空気の温度や湿度のほか、日照量や日照時間、紫外線量や放射線量、降水量、土壌のｐＦ値、水の電導度やｐＨ値、用水路や水田の水位、周辺における雷の発生、等が挙げられる。その他、各データロガー１により測定される対象としては、対象区域Ａの種類や状況、モニタリングシステムの設置目的その他の条件により、種々のパラメータを想定し得る。
【００１９】
各データロガー１、及び端末装置４は、ネットワークとしてのインターネット５を通じてサーバ３に接続される。端末装置４としては、パーソナルコンピュータの他、スマートフォン等、情報通信機能を備えた各種の装置を採用することができる。
【００２０】
図２に示す如く、各データロガー１は、センサ部６、記憶部７、通信部８、制御部９、電源部１０、タイマ１１及び表示部１２を備えて構成され、センサ部６、記憶部７、通信部８、制御部９、電源部１０、タイマ１１及び表示部１２は、制御バス１３を介して互いに接続されている。
【００２１】
尚、各データロガー１には、この他、環境情報を静止画あるいは動画の形で取得するためのカメラ部や、データロガー１の各部の作動状態や通信状態を表示するＬＥＤ部、その他、環境情報の取得やデータロガー１の稼働に必要な各種の機能を搭載することができる。
【００２２】
センサ部６は、周辺環境に関する測定を行い、環境情報を取得するための一以上のセンサ類を備えて構成されている。センサ部６に設置するセンサとしては、データロガー１により収集すべき環境情報の内容に応じた各種のセンサを選択することができる。一台のデータロガー１につき、センサ部６に複数の種類のセンサを設置しても良いし、また、データロガー群２を構成するデータロガー１同士の間で、センサ部６に設置されるセンサの種類や組み合わせが異なるようにしても良い。
【００２３】
記憶部７は、センサ部６において取得した環境情報をデータとして記憶するほか、必要に応じ、データロガー１の稼働に際して用いる各種の情報を格納している。
【００２４】
通信部８は、ネットワークとしてのインターネット５に接続し、サーバ３との間でデータ通信を行うよう構成されており、センサ部６において取得され、記憶部７に記憶された環境情報をデータとしてサーバ３に送信するようになっている。尚、各データロガー１の通信部８は、インターネット５を介して端末装置４ともアクセスできるようにしても良い。
【００２５】
制御部９は、センサ部６や記憶部７、通信部８、電源部１０、表示部１２やその他の各部を制御するための基本プログラムや環境情報の制御プログラムといった各種のプログラムを格納しており、データロガー１全体の動作を制御するよう構成されている。環境情報の記録・収集にあたり、制御部９は、センサ部６に所定のタイミングで環境情報を取得させ、該環境情報をデータとして受け取り、記憶部７に記憶させる。尚、センサ部６に複数のセンサが設置される場合、環境情報を表すデータは、該データを取得するセンサ毎に個別に生成され、記憶部７に個別データとして記憶される。該個別データは、データ自身の大きさを情報として含む。
【００２６】
電源部１０は、データロガー１の動作に必要な電力を供給する装置であり、例えば、電池を内蔵する電池ボックスとして構成することができる。
【００２７】
タイマ１１は、時計機能を備えており、タイマ１１の情報に基づき、電源部１０や制御部９において、時間に応じた一部の動作が実行される。
【００２８】
表示部１２は、センサ部６の作動状態や、記憶部７におけるデータの蓄積状態、通信部８における通信状態、その他データロガー１の稼働に係る各種の情報を表示する画面である。
【００２９】
上述のデータロガー１を構成する各部のうち、センサ部６以外の記憶部７、通信部８、制御部９、電源部１０、タイマ１１及び表示部１２は、一個の通信モジュール１４として構成し、該通信モジュール１４にセンサ部６を搭載することで、一個のデータロガー１を構成することができる。通信モジュール１４としては、例えば、スマートフォンあるいはタブレット端末といった形で販売されている装置を利用することができる。この際、電源部１０としては、通信モジュール１４に内蔵される電池等の他に、外付けでバッテリパック等を接続しても良い。あるいは、例えばソーラーパネルや充電コントローラ等を外付けしても良い。また、表示部１２としては、スマートフォンやタブレット端末である通信モジュール１４のタッチパネルを利用することができる。その場合、表示部１２は、データロガー１の各部に対する各種操作を入力するための操作入力部としての機能を兼ねても良い。
【００３０】
対象区域Ａには、図１に示す如く、上述のデータロガー１により構成されるデータロガー群２のほか、対象区域Ａの管理運用やその他の目的に応じた管理設備１５が設置される。管理設備１５は、図３に示す如く、動作部１６と、制御部１７と、通信部１８とを備えている。
【００３１】
管理設備１５及び動作部１６としては、種々の機器やその構成要素が想定される。例えば、対象区域Ａが農場である場合には、管理設備１５は、農場等である対象区域Ａに対する水の供給や排出、あるいは肥料の供給等を管理するポンプ等とし、動作部１６は、ポンプ等である管理設備１５のオンオフを行うスイッチとすることが一例として考えられる。あるいは、管理設備１５を何らかの事態を報知する回転灯やブザーといった警報機とし、動作部１６を該警報機のオンオフを行うスイッチとしても良い。その他、管理設備１５及び動作部１６としては、対象区域Ａの種類や、該対象区域Ａにおいて発生する局面に応じ、様々な機構を想定し得る。一組のモニタリングシステムを設置した一個の対象区域Ａに対し、同一の又は異なる管理設備１５を複数備えていても良い。
【００３２】
制御部１７は、動作部１６に対し、各種の操作指令を入力するようになっている。例えば、動作部１６が何らかのスイッチである場合には、該スイッチに対してオンオフの指令を入力する。また、動作部１６が何らかの弁や開閉扉である場合には、その開閉や開度を制御する。動作部１６が動力装置である場合には、その出力を制御部１７にて制御するよう構成することができる。
【００３３】
通信部１８は、ネットワークとしてのインターネット５に接続し、サーバ３あるいは端末装置４との間でデータ通信を行うように構成されている。
【００３４】
こうして、管理設備１５の動作部１６は、インターネット５を通じて外部から操作できるようになっている。より具体的には、サーバ３や端末装置４からインターネット５を通じて通信部１８に接続し、制御部１７を介して動作部１６に対し操作指令を入力できるようになっている。
【００３５】
次に、上記した本実施例の作動を説明する。
【００３６】
まず、各データロガー１（図１、図２参照）の動作を、図４のフローチャートを参照して説明する。
【００３７】
データロガー１に電源が投入されると、該データロガー１は、ステップＳ１として、サーバ３にインターネット５を介して接続し、サーバ３と通信を行う（図１参照）。記憶部７に、サーバ３へ送信すべきデータがあれば、サーバ３へ送信する。
【００３８】
ここで、データロガー１の電源の投入は、サーバ３あるいは端末装置４からデータロガー１に対し電源オンの指令を入力することにより遠隔で実行することもできるし、対象区域Ａに人員が直接赴き、各データロガー１に設けられた操作ボタンを操作することで電源をオンにしても良い。データロガー１を直接操作する場合には、ステップＳ２として、表示部１２（図１参照）にデータロガー１の作動状態や、記憶部７に記憶されたデータの容量、電源部１０における電池残量その他に関する各種の情報を表示しても良い。
【００３９】
ステップＳ１にてサーバ３へのデータの送信が完了したら、ステップＳ３に移り、サーバ３からの指示を待機する。サーバ３側でデータロガー１からのデータの受信が終了すると、データロガー１に対しスリープの指示が入力される。データロガー１は、指示に従ってステップＳ４に移行し、スリープ状態で待機する。
【００４０】
データロガー１の制御部９（図２参照）では、ステップＳ４のスリープ状態を維持しつつ、ステップＳ５として、所定の時間（例えば、８秒）おきに、センサ部６にて収集された環境情報のデータが所定の容量以上に達したか否かを判定する。ここで、センサ部６のデータ容量が所定の容量未満であればステップＳ４に戻ってスリープ状態を維持し、所定の時間（８秒）後に再度ステップＳ５の判定を実行する。
【００４１】
ステップＳ５において、センサ部６で取得されたデータ容量が所定の容量以上に達していると判定されれば、ステップＳ６に進み、センサ部６にて収集された環境情報を、記憶部７にデータとして保存する。記憶部７へのデータの保存が完了したら、続いてステップＳ７に進み、サーバ３（図１参照）との通信が確立しているか否かを判定する。サーバ３からの応答がなければステップＳ４に戻り、スリープ状態で待機する。サーバ３からの応答があれば、ステップＳ１に進み、記憶部７に保存されたデータをサーバ３へ送信する。
【００４２】
このようにして、各データロガー１は、電源投入後はスリープ状態で待機しつつ、センサ部６で取得した環境情報を記憶部７にデータとして定期的に記憶し、サーバ３からの指令に応じてサーバ３へ送信するようになっている。
【００４３】
次に、サーバ３の動作を、図５のフローチャートを参照して説明する。サーバ３は、各データロガー１から環境情報を記録したデータを収集しつつ、該データの内容に応じて管理設備１５の制御部１７に対し動作部１６の操作指令を入力するようになっている（図１、図３参照）。
【００４４】
ここでは、一例として、管理設備１５は農場や牧草地等である対象区域Ａから水の排出を行う排水ポンプであり、動作部１６は、排水ポンプである管理設備１５のオンオフを行うスイッチである場合を想定して説明する。この場合、データロガー群２を構成するデータロガー１の少なくとも一部は、センサ部６に対象区域Ａにおける水位を測定する水位センサを備えている。
【００４５】
サーバ３は、起動すると、データロガー１からの接続待ちの状態となる（ステップＳ１１）。データロガー１からインターネット５を介して接続があると（図４；ステップＳ１参照）、データロガー１と通信を行い、接続中のデータロガー１の記憶部７（図２参照）に記憶されたデータを受信する。
【００４６】
次に、ステップＳ１２として、データロガー１から受信したデータのうち、管理設備１５の運用に関係する直近のデータを参照し、該データの示す数値が所定の閾値（第一の閾値）以上であるか否かを判定する。ここでは、上述の如く管理設備１５として排水ポンプを想定しており、該排水ポンプの運用に関係する直近のデータとは、データロガー１のセンサ部６に備えた水位センサにて測定された最新の水位値である。そして、第一の閾値は、前記最新の水位値がそれ以上であった場合に、排水ポンプである管理設備１５を作動させ、対象区域Ａからの排水を行う水位である。
【００４７】
データロガー１から取得した最新の水位値が前記第一の閾値以上であった場合には、ステップＳ１３に移る。本実施例の場合、ステップＳ１３では、排水ポンプである管理設備１５に対し、スイッチである動作部１６をオンにする操作指令をサーバ３から入力する。動作部１６がオンにされると、排水ポンプである管理設備１５が作動し、対象区域Ａからの排水が開始される。
【００４８】
管理設備１５への指令の入力が完了したら、サーバ３側では、ステップＳ１４として、データロガー１から受信したデータをサーバ３内に保存する。データの保存が済んだら、接続中のデータロガー１に対し、スリープ状態へ移行する指令を入力し（図４；ステップＳ３及びステップＳ４参照）、ステップＳ１１の接続待機状態へと戻る。
【００４９】
ステップＳ１２において、データロガー１から取得した最新の水位値が前記第一の閾値未満であった場合には、ステップＳ１５に移り、前記水位値が別の閾値（第二の閾値）未満であるか否かを判定する。この第二の閾値は、前記最新の水位値がそれ未満であった場合に、排水ポンプである管理設備１５を停止し、対象区域Ａからの排水を終了する水位であり、前記第一の閾値として設定された値よりも低い水位を設定している。
【００５０】
ステップＳ１５において、前記最新の水位値が前記第二の閾値未満と判定された場合には、ステップＳ１６に移行する。ステップＳ１６では、排水ポンプである管理設備１５に対し、スイッチである動作部１６をオフにする指令をサーバ３から入力する。動作部１６がオフにされると、排水ポンプである管理設備１５が停止し、対象区域Ａからの排水が終了する。管理設備１５への指令の入力が完了したら、ステップＳ１４に移行する。
【００５１】
ステップＳ１５において、前記最新の水位値が前記第二の閾値以上と判定された場合には、管理設備１５への指令の入力はせず、ステップＳ１４に移行する。
【００５２】
ステップＳ１４では、データロガー１から受信したデータをサーバ３内に保存した後、データロガー１に対してスリープ状態へ移行する指令を入力し、ステップＳ１１の接続待機状態へと戻る。
【００５３】
こうして、サーバ３においては、データロガー１から環境情報をデータとして回収しつつ、該データの値に基づいて管理設備１５を操作するようになっている。すなわち、水位が第一の閾値以上となった場合には、ステップＳ１２からステップＳ１３へ移行して動作部１６をオンにして排水を実行し、水位が第一の閾値未満且つ第二の閾値以上である間は排水を継続し、水位が第二の閾値未満となった段階でステップＳ１５からステップＳ１６に移行し、動作部１６をオフにして排水を終了する。尚、ここでは第一の閾値と第二の閾値とを別々の値とした場合を説明したが、第一の閾値と第二の閾値とで同じ値を設定しても構わない。
【００５４】
また、上述の如く、管理設備１５ないし動作部１６としては、排水ポンプやその電源スイッチの他にも、種々の構成を採用し得る。例えば、管理設備１５を、水田等である対象区域Ａに対して水の供給を行う給水ポンプとすることも考えられる。この場合、例えば、センサ部６に対象区域Ａにおける水位を検出する水位センサを備え、データロガー１から取得したデータを通じて検知した水位値が閾値未満である時に給水ポンプである管理設備１５のスイッチである動作部１６をオンにし、前記水位値が閾値以上となったら動作部１６をオフにするような制御を行えば良い。
【００５５】
また、管理設備１５を、農場等である対象区域Ａに水や肥料を供給するための散水機とし、動作部１６を水や肥料の吐出量を調整するバルブとしても良い。散水機である管理設備１５から水を供給する場合には、例えばデータロガー１のセンサ部６に土壌の含水量をｐＦ値として検出するｐＦセンサを備え、該ｐＦセンサにて測定される含水量に応じ、バルブである動作部１６の開度を調整すれば良い。また、管理設備１５が肥料を供給する散水機である場合には、データロガー１のセンサ部６には水の電導度を検知する電導度センサを備え、水の電導度を通じて検出される水中の肥料の濃度に応じ、バルブである動作部１６の開度を調整する操作指令を該動力部１６に入力すれば良い。
【００５６】
あるいは、管理設備１５を、対象区域Ａにおける何らかの特定の事態の発生を報知するための警報設備、例えば回転灯やブザー等とし、動作部１６をその電源スイッチとしても良い。この場合、例えばデータロガー１のセンサ部６に雷センサを備え、該雷センサにて雷の発生が検知された場合に、動作部１６に管理設備１５を作動させる指令を入力し、回転灯やブザーである管理設備１５を作動させ、対象区域Ａ内の人員に対し注意を喚起する、といったことが可能である。
【００５７】
また、管理設備１５にて電気を用いている場合には、雷の発生や浸水といった特定の事態が発生した際、管理設備１５をシャットダウンする必要が生じる可能性が想定される。こうした可能性に対応するため、動作部１６を管理設備１５の電源装置として構成すると共に、データロガー１のセンサ部６に雷センサや水位センサを備え、サーバ３は該雷センサや水位センサから取得したデータを通じて雷の発生や浸水の危険を検出し、管理設備１５を強制的にシャットダウンする、といったことも可能である。すなわち、サーバ３においては、前記雷センサが雷の発生を検知したり、前記水位センサが対象区域Ａ内の所定の領域における水位の異常な上昇を検知した際に、電源装置である動作部１６をオフにする操作指令を入力すれば良い。
【００５８】
この他、管理設備１５ないし動作部１６の構成としては、対象区域Ａの種類や、対象区域Ａの管理運用の目的、対象区域Ａにおいて想定される事態等に応じて様々な種類や組み合わせが考えられる。
【００５９】
このように、本実施例のモニタリングシステムでは、対象区域Ａにおける環境情報の収集という従来のモニタリングシステムの役割に加え、各種の管理運用に関する操作をも担わせることができる。その際、管理設備１５に対する操作は、データロガー１にて取得された環境情報に基づいて随時行うことができるので、対象区域Ａに人員が赴かなくとも即時的な対応が可能である。
【００６０】
すなわち、従来、対象区域Ａの管理運用に際しては、例えば対象区域Ａに監視カメラ等を設置して対象区域Ａを観察し、対象区域Ａにおいて何らかの操作が必要な事態が生じた段階で人員が対象区域Ａに赴き、必要な作業を行う、といった手順が必要であった。本発明のモニタリングシステムでは、対象区域Ａを監視する役割を、環境情報の取得のために設置されるデータロガー１が担い、さらに該データロガー１にて取得されたデータの内容に応じて対象区域Ａの管理運用に関する操作を即時的に行うことができるので、管理運用に際し、対象区域Ａの具体的な状態に応じた精度の高い操作が可能であるほか、対象区域Ａに対する操作の必要な事態が生じた際、迅速に対応することができるという点で優れている。
【００６１】
尚、上では、管理設備１５とサーバ３との間で通信を行い、サーバ３にてデータロガー１から取得したデータに基づき自動的に管理設備１５に対して操作を入力する場合を例に説明したが、本発明の実施の形態はこれに限定されない。例えば、サーバ３にてデータロガー１から回収されたデータを端末装置４にて参照し、これに基づき、端末装置４から管理設備１５に対して各種の操作を入力するようにしても良い。この際、端末装置４から管理設備１５への操作指令は、サーバ３を介して入力しても良いし、サーバ３を介することなくインターネット５を介して端末装置４から管理設備１５へ入力しても良い。もしくは、例えばサーバ３にて、データロガー１から回収したデータを通じ何らかの異常が検出された場合、これをインターネット５を介して端末装置４に対し報知するようにしても良い。
【００６２】
ただし、本実施例の如く、データロガー１で取得したデータをサーバ３で参照すると共に、データの内容に応じてサーバ３側で管理設備１５に対する操作指令を入力するよう構成すると、管理設備１５に対する操作の必要な事態が生じてから時間を措かず、自動で操作入力が行われるので、より迅速且つ事態の推移に応じた操作が可能である。
【００６３】
以上のように、上記本実施例のモニタリングシステムは、周辺環境に関する測定を行い、環境情報を取得するセンサ部６と、ネットワーク５に接続し、センサ部６にて取得した環境情報をデータとしてサーバ３に送信する通信部８とを備えたデータロガー１と、対象区域Ａに設置され、インターネット５を通じて操作可能な動作部１６を備えた管理設備１５とを備えている。対象区域Ａを監視する役割を、環境情報の取得のために設置されるデータロガー１に担わせ、該データロガー１にて取得されたデータの内容に応じて対象区域Ａの管理運用に関する操作を即時的に行うことができるので、管理運用に際し、対象区域Ａの具体的な状態に応じた操作が可能である。また、対象区域Ａに対する操作の必要な事態が生じた際、迅速に対応することができる。
【００６４】
また、本実施例のモニタリングシステムにおいて、サーバ３は、データロガー１から取得したデータに基づき、ネットワーク５を通じて管理設備１５の動作部１６に対し操作指令を入力するよう構成されている。管理設備１５に対する操作の必要な事態が生じた際、自動で操作入力が行われるので、より迅速且つ事態の推移に応じた操作が可能である。
【００６５】
また、本実施例のモニタリングシステムにおいて、サーバ３は、データロガー１から取得したデータを通じて対象区域Ａにおける特定の事態の発生を検出した場合に、動作部１６に管理設備１５をシャットダウンする指令を入力するよう構成することができる。
【００６６】
また、本実施例のモニタリングシステムにおいて、管理設備１５は、対象区域Ａへの給水又は対象区域Ａからの排水を行う設備とし、センサ部６に、対象区域Ａにおける水位を検出する水位センサ又は土壌中のｐＦ値を検出するｐＦセンサの少なくとも一方を備え、サーバ３は、データロガー１から取得したデータを通じて検知した水位又はｐＦ値に応じ、動作部１６に操作指令を入力するよう構成することができる。
【００６７】
また、本実施例のモニタリングシステムにおいて、管理設備１５は、対象区域Ａにおける特定の事態の発生を報知する警報設備とし、サーバ３は、データロガー１から取得したデータに応じ、動作部１６に管理設備１５を作動させる指令を入力するよう構成することができる。
【００６８】
また、本実施例のモニタリングシステムにおいて、管理設備１５は、対象区域Ａへの肥料の供給を行う設備とし、センサ部６に、対象区域Ａにおける土壌中の電導度を検出する電導度センサを備え、サーバ３は、データロガー１から取得したデータを通じて検知した電導度に応じ、動作部１６に操作指令を入力するよう構成することができる。
【００６９】
したがって、上記本実施例によれば、対象区域の観測を行う一方、対象区域に設置した設備に対して観測に基づいた操作を実行し得る。
【００７０】
尚、本発明のモニタリングシステムは、上述の実施例にのみ限定されるものではなく、例えば対象区域としては農場や牧草地のほか、養殖場、山岳、また工場や下水道、その他各種のフィールドや施設等を想定し得ること等、本発明の要旨を逸脱しない範囲内において種々変更を加え得ることは勿論である。
【符号の説明】
【００７１】
１    データロガー
３    サーバ
５    ネットワーク（インターネット）
６    センサ部
８    通信部
１５    管理設備
１６    動作部
Ａ    対象区域
【図１】
2018189539.tif 000003
【図２】
2018189539.tif 000004
【図３】
2018189539.tif 000005
【図４】
2018189539.tif 000006
【図５】
2018189539.tif 000007